(57)【要約】【課題】本発明は、印刷文書を閲覧する各閲覧者の視覚特性に適応した印刷文書を印刷する画像形成装置、画像形成システム、画像形成方法、画像形成プログラム及び記録媒体に関する。【解決手段】画像形成システム１は、ホスト装置ＨＳから送信されてきた文書の印刷データと該印刷データで印刷される印刷文書を閲覧する全ての閲覧者を特定する閲覧者ＩＤを含む印刷ジョブをプリンタＰｒが取得すると、プリンタＰｒが、予めサーバＳＶから取得してプリンタ用閲覧者アドレス帳に登録されている閲覧者情報から、取得した印刷ジョブの閲覧者ＩＤに対応する全ての閲覧者の色覚特性を取得して、印刷ジョブから得られる画像データに対して、該閲覧者の分だけ視覚特性に応じた画像処理を施して印刷用画像データを生成し、該印刷用画像データに基づいて印刷文書を印刷出力する。【選択図】          図１
2011126041.tif 000002
【特許請求の範囲】
【請求項１】
文書の印刷データと該印刷データによって印刷される印刷文書を閲覧する全ての閲覧者を特定する閲覧者特定情報を含む印刷ジョブを取得する印刷ジョブ取得手段と、
閲覧者毎に前記閲覧者特定情報に対応させて該閲覧者の色覚特性を含む閲覧者情報の登録される閲覧者情報記憶手段と、
印刷データから得られる画像データに対して色覚特性に応じた画像処理を施して印刷用画像データを生成する印刷画像生成処理手段と、
前記印刷用画像データに基づいて印刷文書を印刷出力する印刷手段と、
前記印刷ジョブ取得手段の取得した前記印刷ジョブの前記閲覧者特定情報に基づいて、前記閲覧者情報記憶手段から該閲覧者特定情報に対応する全ての閲覧者の色覚特性を取得して、該印刷ジョブから得られる画像データに対して、該閲覧者の分だけ該視覚特性に応じた画像処理を前記印刷画像生成処理手段に施させて印刷用画像データを生成させ、該印刷用画像データに基づいて前記印刷手段に印刷文書を印刷出力させる制御手段と、
を備えていることを特徴とする画像形成装置。
【請求項２】
前記閲覧者情報記憶手段は、前記閲覧者毎に該閲覧者の氏名が前記閲覧者情報として登録され、
前記制御手段は、前記閲覧者情報記憶手段から前記氏名を取得して、前記印刷画像生成処理手段に該氏名を前記印刷用画像データに付加させることを特徴とする請求項１記載の画像形成装置。
【請求項３】
前記画像形成装置は、所定の通信回線によって前記閲覧者特定情報に対応させて色覚特性または／及び氏名を管理用閲覧者情報として管理用閲覧者情報記憶手段に記憶して管理する管理装置に接続され、
前記制御手段は、前記印刷ジョブ取得手段の取得した前記印刷ジョブの前記閲覧者特定情報に対応する閲覧者の色覚特性または／及び氏名の前記閲覧者情報記憶手段からの取得に失敗すると、前記管理装置から該閲覧者特定情報に対応する閲覧者の色覚特性または／及び氏名を取得し、前記印刷画像生成処理手段に、取得した該色覚特性に応じた画像処理を行わせ、または／及び、取得した該氏名を前記印刷用画像データに付加させることを特徴とする請求項１または請求項２記載の画像形成装置。
【請求項４】
ネットワークに情報処理装置、管理装置及び画像形成装置が接続された画像形成システムにおいて、
前記管理装置は、
印刷文書の閲覧者毎に該閲覧者を特定する閲覧者特定情報及び該閲覧者の色覚特性を含む閲覧者情報を記憶する管理側閲覧者情報記憶手段と、
前記情報処理装置または／及び前記画像形成装置からの閲覧者情報取得要求に応じて、前記管理側閲覧者情報記憶手段に記憶されている閲覧者情報を該閲覧者取得要求を行ってきた該情報処理装置または／及び該画像形成装置に送信する閲覧者情報提供手段と、
を備え、
前記情報処理装置は、
印刷文書の閲覧者毎に少なくとも該閲覧者を特定する閲覧者特定情報を含む閲覧者情報の登録される依頼側閲覧者情報記憶手段と、
前記管理装置に閲覧者情報の取得要求を行い、該閲覧者情報取得要求に応じて該管理装置から送信されてきた閲覧者情報を前記依頼側閲覧者情報記憶手段に登録する閲覧者情報取得手段と、
前記印刷データによって印刷される印刷文書を閲覧する全ての閲覧者の前記閲覧者特定情報を前記依頼側閲覧者情報記憶手段から取得して文書の印刷データに該閲覧者特定情報を付加した印刷ジョブを生成して前記画像形成装置に送信する印刷依頼手段と、
を備え、
前記画像形成装置は、
前記情報処理装置から送信されてくる前記印刷データと前記閲覧者特定情報を含む前記印刷ジョブを取得する印刷ジョブ取得手段と、
閲覧者毎に前記閲覧者特定情報に対応させて該閲覧者の色覚特性を含む前記閲覧者情報の登録される画像形成側閲覧者情報記憶手段と、
前記管理装置に閲覧者情報の取得要求を行い、該閲覧者情報取得要求に応じて該管理装置から送信されてきた閲覧者情報を前記画像形成側閲覧者情報記憶手段に登録する閲覧者情報取得手段と、
前記印刷データから得られる画像データに対して色覚特性に応じた画像処理を施して印刷用画像データを生成する印刷画像生成処理手段と、
前記画像データに基づいて印刷文書を印刷出力する印刷手段と、
前記印刷ジョブ取得手段の取得した前記印刷ジョブの前記閲覧者特定情報に基づいて、前記画像形成側閲覧者情報記憶手段から該閲覧者特定情報に対応する全ての閲覧者の色覚特性を取得して、該印刷ジョブから得られる画像データに対して、該閲覧者の分だけ該視覚特性に応じた画像処理を前記印刷画像生成処理手段に施させて印刷用画像データを生成させ、該印刷用画像データに基づいて前記印刷手段に印刷文書を印刷出力させる制御手段と、
を備えていることを特徴とする画像形成システム。
【請求項５】
前記画像形成装置の前記制御手段は、前記画像形成側閲覧者情報記憶手段から前記閲覧者情報に含まれている前記閲覧者の氏名を取得して、前記印刷画像生成処理手段に該氏名を前記印刷用画像データに付加させることを特徴とする請求項５記載の画像形成システム。
【請求項６】
前記画像形成装置の前記制御手段は、前記印刷ジョブ取得手段の取得した前記印刷ジョブの前記閲覧者特定情報に対応する閲覧者の色覚特性または／及び氏名の前記画像形成側閲覧者情報記憶手段からの取得に失敗すると、前記閲覧者情報取得手段に前記管理装置から該閲覧者特定情報に対応する閲覧者の色覚特性または／及び氏名を取得させ、前記印刷画像生成処理手段に、該閲覧者情報取得手段の取得した該色覚特性に応じた画像処理を行わせ、または／及び、取得した該氏名を前記印刷用画像データに付加させることを特徴とする請求項５または請求項６記載の画像形成システム。
【請求項７】
前記管理装置は、
前記管理側閲覧者情報記憶手段の前記閲覧者情報を前記情報処理装置の依頼側閲覧者情報記憶手段及び前記画像形成装置の前記画像形成側閲覧者情報記憶手段への登録を許可するか否かの情報登録可否情報を該情報処理装置及び該画像形成装置毎に登録される管理情報記憶手段を備え、
前記閲覧者情報提供手段は、前記閲覧者情報取得要求に対して前記管理情報記憶手段の情報登録可否情報に基づいて前記閲覧者情報の送信制御を行うとともに、送信する閲覧者情報に対する情報登録可否情報を送信し、
前記情報処理装置及び前記画像形成装置は、前記管理装置から閲覧者情報と登録不可の情報登録可否情報が送信されてくると、該閲覧者情報の前記依頼側閲覧者情報記憶手段及び前記画像形成側閲覧者情報記憶手段への登録を不許可とし、該閲覧者情報の使用が完了した時点で、該閲覧者情報を削除することを特徴とする請求項５から請求項７のいずれかに記載の画像形成システム。
【請求項８】
前記管理情報記憶手段は、前記情報登録可否情報が前記閲覧者情報の情報項目毎に登録され、
前記閲覧者情報提供手段は、前記閲覧者情報取得要求に対して前記管理情報記憶手段の情報登録可否情報に基づいて前記閲覧者情報の送信制御、送信する閲覧者情報項目の選択制御を行うとともに、送信する閲覧者情報項目それぞれに対する情報登録可否情報を送信することを特徴とする請求項８記載の画像形成システム。
【請求項９】
文書の印刷データと該印刷データによって印刷される印刷文書を閲覧する全ての閲覧者を特定する閲覧者特定情報を含む印刷ジョブを取得する印刷ジョブ取得処理ステップと、
印刷データから得られる画像データに対して色覚特性に応じた画像処理を施して印刷用画像データを生成する印刷画像生成処理ステップと、
前記印刷用画像データに基づいて印刷文書を印刷出力する印刷処理ステップと、
前記印刷ジョブ取得処理ステップの取得した前記印刷ジョブの前記閲覧者特定情報に基づいて、閲覧者毎に閲覧者特定情報に対応させて該閲覧者の色覚特性を含む閲覧者情報の登録されている閲覧者情報記憶手段から該閲覧者特定情報に対応する全ての閲覧者の色覚特性を取得して、該印刷ジョブから得られる画像データに対して、該閲覧者の分だけ該視覚特性に応じた画像処理を前記印刷画像生成処理処理ステップで施させて印刷用画像データを生成させ、該印刷用画像データに基づいて前記印刷処理ステップで印刷文書を印刷出力させる制御処理ステップと、
を有していることを特徴とする画像形成方法。
【請求項１０】
ネットワークに情報処理装置、管理装置及び画像形成装置が接続された画像形成システムにおける画像形成方法であって、
前記管理装置は、
印刷文書の閲覧者毎に該閲覧者を特定する閲覧者特定情報及び該閲覧者の色覚特性を含む閲覧者情報を管理側閲覧者情報記憶手段に記憶する閲覧者情報記憶処理ステップと、
前記情報処理装置または／及び前記画像形成装置からの閲覧者取得要求に応じて、前記管理側閲覧者情報記憶手段に記憶されている閲覧者情報を該閲覧者取得要求を行ってきた該情報処理装置または／及び該画像形成装置に送信する閲覧者情報提供処理ステップと、
を有し、
前記情報処理装置は、
前記管理装置に閲覧者情報の取得要求を行い、該閲覧者情報取得要求に応じて該管理装置から送信されてきた少なくとも閲覧者を特定する閲覧者特定情報を含む閲覧者情報を、依頼側閲覧者情報記憶手段に登録する閲覧者情報取得処理ステップと、
前記印刷データによって印刷される印刷文書を閲覧する全ての閲覧者の前記閲覧者特定情報を前記依頼側閲覧者情報記憶手段から取得して文書の印刷データに該閲覧者特定情報を付加した印刷ジョブを生成して前記画像形成装置に送信する印刷依頼処理ステップと、
を有し、
前記画像形成装置は、
前記情報処理装置から送信されてくる前記印刷データと前記閲覧者特定情報を含む前記印刷ジョブを取得する印刷ジョブ取得処理ステップと、
前記管理装置に閲覧者情報の取得要求を行い、該閲覧者情報取得要求に応じて該管理装置から送信されてきた閲覧者の色覚特性を含む閲覧者情報を、閲覧者毎に前記閲覧者特定情報に対応させて前記画像形成側閲覧者情報記憶手段に登録する閲覧者情報取得処理ステップと、
前記印刷データから得られる画像データに対して色覚特性に応じた画像処理を施して印刷用画像データを生成する印刷画像生成処理ステップと、
前記印刷用画像データに基づいて印刷文書を印刷出力する印刷処理ステップと、
前記印刷ジョブ取得処理ステップで取得された前記印刷ジョブの前記閲覧者特定情報に基づいて、前記画像形成側閲覧者情報記憶手段から該閲覧者特定情報に対応する全ての閲覧者の色覚特性を取得して、該印刷ジョブから得られる画像データに対して、該閲覧者の分だけ該視覚特性に応じた画像処理を前記印刷画像生成処理ステップで施させて印刷用画像データを生成させ、該印刷用画像データに基づいて前記印刷処理ステップで印刷文書を印刷出力させる制御処理ステップと、
を有していることを特徴とする画像形成方法。
【請求項１１】
コンピュータに、
文書の印刷データと該印刷データによって印刷される印刷文書を閲覧する全ての閲覧者を特定する閲覧者特定情報を含む印刷ジョブを取得する印刷ジョブ取得処理と、
印刷データから得られる画像データに対して色覚特性に応じた画像処理を施して印刷用画像データを生成する印刷画像生成処理と、
前記印刷用画像データに基づいて印刷文書を印刷出力する印刷処理と、
前記印刷ジョブ取得処理で取得された前記印刷ジョブの前記閲覧者特定情報に基づいて、閲覧者毎に閲覧者特定情報に対応させて該閲覧者の色覚特性を含む閲覧者情報の登録されている閲覧者情報記憶手段から該閲覧者特定情報に対応する全ての閲覧者の色覚特性を取得して、該印刷ジョブから得られる画像データに対して、該閲覧者の分だけ該視覚特性に応じた画像処理を前記印刷画像生成処理で施させて印刷用画像データを生成させ、該印刷用画像データに基づいて前記印刷処理で印刷文書を印刷出力させる制御処理と、
を実行させることを特徴とする画像形成プログラム。
【請求項１２】
ネットワークに情報処理装置、管理装置及び画像形成装置が接続された画像形成システムで実行される画像形成プログラムであって、
前記管理装置のコンピュータに、
印刷文書の閲覧者毎に該閲覧者を特定する閲覧者特定情報及び該閲覧者の色覚特性を含む閲覧者情報を管理側閲覧者情報記憶手段に記憶する閲覧者情報記憶処理と、
前記情報処理装置または／及び前記画像形成装置からの閲覧者取得要求に応じて、前記管理側閲覧者情報記憶手段に記憶されている閲覧者情報を該閲覧者取得要求を行ってきた該情報処理装置または／及び該画像形成装置に送信する閲覧者情報提供処理と、
を実行させ、
前記情報処理装置のコンピュータに、
前記管理装置に閲覧者情報の取得要求を行い、該閲覧者情報取得要求に応じて該管理装置から送信されてきた少なくとも閲覧者を特定する閲覧者特定情報を含む閲覧者情報を、依頼側閲覧者情報記憶手段に登録する閲覧者情報取得処理と、
前記印刷データによって印刷される印刷文書を閲覧する全ての閲覧者の前記閲覧者特定情報を前記依頼側閲覧者情報記憶手段から取得して文書の印刷データに該閲覧者特定情報を付加した印刷ジョブを生成して前記画像形成装置に送信する印刷依頼処理と、
を実行させ、
前記画像形成装置のコンピュータに、
前記情報処理装置から送信されてくる前記印刷データと前記閲覧者特定情報を含む前記印刷ジョブを取得する印刷ジョブ取得処理と、
前記管理装置に閲覧者情報の取得要求を行い、該閲覧者情報取得要求に応じて該管理装置から送信されてきた閲覧者の色覚特性を含む閲覧者情報を、閲覧者毎に前記閲覧者特定情報に対応させて前記画像形成側閲覧者情報記憶手段に登録する閲覧者情報取得処理と、
前記印刷データから得られる画像データに対して色覚特性に応じた画像処理を施して印刷用画像データを生成する印刷画像生成処理と、
前記印刷用画像データに基づいて印刷文書を印刷出力する印刷処理と、
前記印刷ジョブ取得処理で取得された前記印刷ジョブの前記閲覧者特定情報に基づいて、前記画像形成側閲覧者情報記憶手段から該閲覧者特定情報に対応する全ての閲覧者の色覚特性を取得して、該印刷ジョブから得られる画像データに対して、該閲覧者の分だけ該視覚特性に応じた処理を前記印刷画像生成処理で施させて印刷用画像データを生成させ、該印刷用画像データに基づいて前記印刷処理で印刷文書を印刷出力させる制御処理と、
を実行させることを特徴とする画像形成プログラム。
【請求項１３】
請求項１０または請求項１１記載の画像形成プログラムを記録したことを特徴とするコンピュータが読み取り可能な記録媒体。
【発明の詳細な説明】
【技術分野】
【０００１】
本発明は、画像形成装置、画像形成システム、画像形成方法、画像形成プログラム及び記録媒体に関し、詳細には、印刷文書を閲覧するそれぞれの閲覧者の視覚特性に適応した印刷文書を印刷する画像形成装置、画像形成システム、画像形成方法、画像形成プログラム及び記録媒体に関する。
【背景技術】
【０００２】
近年、カラーの画像形成技術（印刷技術）が発達し、個人や企業等において多種多様なカラー文書が作成されて印刷されるようになってきている。
【０００３】
しかし、画像形成出力された文書の閲覧者には、色覚異常者がいることもあり、色覚異常者は、色を誤認するため、色そのものに重要な情報が含まれていると、全ての内容を正しく理解することができない場合がある。このような問題は、カラー文書の発行部数が急増している今日、日常的に起こり得る。
【０００４】
そして、従来、ユーザの色覚特性を調べ、その結果に基づいて画像処理の内容を最適化して、ユーザにとって視認性が良く、好ましいと感じる文書を作成する技術が種々提案されている。
【０００５】
例えば、従来、少なくとも明度方向の色弁別に関する色覚特性が入力されると、入力された情報を基に、色補正パラメータを生成するとともに、色弱の有無を判定し、色弱であると判定すると、該色補正パラメータを用いて入力カラー画像信号に対して色補正を行う技術が提案されている（特許文献１参照）。この従来技術は、１つの入力画像信号から色覚補正処理を行った画像形成出力（印刷出力）用の１つの印刷データを生成して、色覚異常者にとっても見やすい画像形成（印刷出力）を可能としている。すなわち、１つの印刷ジョブに対して、色覚異常者に対応した色覚補正処理を行った１つの印刷データを生成している。
【発明の概要】
【発明が解決しようとする課題】
【０００６】
しかしながら、上記従来技術にあっては、１つの印刷ジョブに対して、色覚異常者に対応した色覚補正処理を行った１つの印刷データを生成しているため、印刷ジョブと印刷結果の関係が１対１となっており、色覚異常の程度や色覚健常者それぞれに対応した印刷結果を得ることができず、種々の色覚程度に対して汎用性、利用性の良好な画像出力結果を得る上で、改良の必要があった。
【０００７】
そこで、本発明は、画像データに対して種々の色覚特性に対応した印刷出力を得ることのできるデータ処理を施す画像形成装置、画像形成システム、画像形成方法、画像形成プログラム及び記録媒体を提供することを目的としている。
【課題を解決するための手段】
【０００８】
本発明は、上記目的を達成するために、文書の印刷データと該印刷データによって印刷される印刷文書を閲覧する全ての閲覧者を特定する閲覧者特定情報を含む印刷ジョブを取得すると、取得した前記印刷ジョブの前記閲覧者特定情報に基づいて、閲覧者毎に該閲覧者特定情報に対応させて該閲覧者の色覚特性を含む閲覧者情報の登録されている閲覧者情報記憶手段から該閲覧者特定情報に対応する全ての閲覧者の色覚特性を取得して、該印刷ジョブから得られる画像データに対して、該閲覧者の分だけ該視覚特性に応じた画像処理を施して印刷用画像データを生成し、該印刷用画像データに基づいて印刷文書を印刷出力することを特徴としている。
【０００９】
また、本発明は、前記閲覧者毎に該閲覧者の氏名が前記閲覧者情報として登録されている前記閲覧者情報記憶手段から該氏名を取得して、該氏名を前記印刷用画像データに付加することを特徴としてもよい。
【００１０】
さらに、本発明は、取得した前記印刷ジョブの前記閲覧者特定情報に対応する閲覧者の色覚特性または／及び氏名の前記閲覧者情報記憶手段からの取得に失敗すると、所定の通信回線によって前記閲覧者特定情報に対応させて色覚特性または／及び氏名を管理用閲覧者情報として管理用閲覧者情報記憶手段に記憶して管理する管理装置から該閲覧者特定情報に対応する閲覧者の色覚特性または／及び氏名を取得し、取得した該色覚特性に応じた画像処理を行い、または／及び、取得した該氏名を前記印刷用画像データに付加することを特徴としてもよい。
【００１１】
また、本発明は、ネットワークに情報処理装置、管理装置及び画像形成装置が接続された画像形成システムにおいて、前記管理装置が、印刷文書の閲覧者毎に該閲覧者を特定する閲覧者特定情報及び該閲覧者の色覚特性を含む閲覧者情報を記憶する管理側閲覧者情報記憶手段を有して、前記情報処理装置または／及び前記画像形成装置からの閲覧者取得要求に応じて、前記管理側閲覧者情報記憶手段に記憶されている閲覧者情報を該閲覧者取得要求を行ってきた該情報処理装置または／及び該画像形成装置に送信し、前記情報処理装置が、印刷文書の閲覧者毎に少なくとも該閲覧者を特定する閲覧者特定情報を含む閲覧者情報の登録される依頼側閲覧者情報記憶手段を有し、前記管理装置に閲覧者情報の取得要求を行って、該閲覧者情報取得要求に応じて該管理装置から送信されてきた閲覧者情報を前記依頼側閲覧者情報記憶手段に登録し、前記印刷データによって印刷される印刷文書を閲覧する全ての閲覧者の前記閲覧者特定情報を該依頼側閲覧者情報記憶手段から取得して文書の印刷データに該閲覧者特定情報を付加した印刷ジョブを生成して前記画像形成装置に送信し、前記画像形成装置が、閲覧者毎に前記閲覧者特定情報に対応させて該閲覧者の色覚特性を含む前記閲覧者情報の登録される画像形成側閲覧者情報記憶手段を有し、前記管理装置に閲覧者情報の取得要求を行って、該閲覧者情報取得要求に応じて該管理装置から送信されてきた閲覧者情報を該画像形成側閲覧者情報記憶手段に登録して、前記情報処理装置から送信されてくる前記印刷データと前記閲覧者特定情報を含む前記印刷ジョブを取得して、取得した該印刷ジョブの閲覧者特定情報に基づいて、前記画像形成側閲覧者情報記憶手段から該閲覧者特定情報に対応する全ての閲覧者の色覚特性を取得して、該印刷ジョブから得られる画像データに対して、該閲覧者の分だけ該視覚特性に応じた画像処理を施して印刷用画像データを生成し、該印刷用画像データに基づいて印刷文書を印刷出力することを特徴としている。
【図面の簡単な説明】
【００１２】
【図１】本発明の一実施例を適用した画像形成システムのシステム構成図。
【図２】ホスト装置の閲覧者アドレス帳の一例を示す図。
【図３】サーバ用閲覧者アドレス帳の一例を示す図。
【図４】サーバの個人情報管理テーブルの一例を示す図。
【図５】プリンタのブロック構成図。
【図６】プリンタ用閲覧者アドレス帳の一例を示す図。
【図７】プリンタの印刷データの処理に対する機能モジュールと印刷データの流れを示す図。
【図８】プリンタにおける閲覧者関連情報の流れと機能モジュールを示す図。
【図９】ホスト装置による閲覧者情報取得処理を示すフローチャート。
【図１０】サーバによるホスト装置への閲覧者情報送信処理を示すフローチャート。
【図１１】プリンタによる全閲覧者の閲覧者情報取得処理を示すフローチャート。
【図１２】ホスト装置による印刷要求処理を示すフローチャート。
【図１３】サーバによるプリンタへの閲覧者情報送信処理を示すフローチャート。
【図１４】印刷ジョブのデータ構成の一例を示す図。
【図１５】プリンタによる画像形成制御処理を示すフローチャート。
【図１６】図１５の続きの処理を示すフローチャート。
【図１７】プリンタによるサーバへの色覚特性取得処理を示すフローチャート。
【図１８】プリンタからの色覚特性取得要求に対するサーバによる閲覧者情報送信処理を示すフローチャート。
【図１９】プリンタによる閲覧者氏名取得処理を示すフローチャート。
【図２０】プリンタからの氏名取得要求に対するサーバによる閲覧者情報送信処理を示すフローチャート。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図２０は、本発明の画像形成装置、画像形成システム、画像形成方法、画像形成プログラム及び記録媒体の一実施例を示す図であり、図１は、本発明の画像形成装置、画像形成システム、画像形成方法、画像形成プログラム及び記録媒体の一実施例を適用した画像形成システム１のシステム構成図である。
【００１５】
図１において、画像形成システム１は、イーサネット（Ethernet：登録商標）等のネットワークＮＷに、プリンタＰｒ、サーバＳＶ及びホスト装置ＨＳ等が接続されており、ホスト装置ＨＳ及びプリンタＰｒは、それぞれ複数台接続されていてもよい。
【００１６】
ホスト装置ＨＳは、通常のハードウェア構成及びソフトウェア構成のコンピュータ等が用いられ、一般的に、ハードディスク、ＲＯＭ（Read Only Memory）、ＲＡＭ（Random Access Memory）等のメモリ、ＣＰＵ（Central Processing Unit ）、ディスプレイ、キーボード、マウス等の入力部等のハードウェアを備えていて、該ハードウェアのメモリに、ウィンドウズ（登録商標）等のＯＳ（Operating System）上に、本発明の閲覧者情報を含む画像データを、サーバＳＶを介してプリンタＰｒに送って印刷要求するホスト用画像形成プログラムやプリンタドライバ及び文書作成ソフトウェア等のソフトウェアが搭載されている。
【００１７】
ホスト装置ＨＳは、ハードウェア等のメモリ上に、プリンタＰｒで印刷出力（画像形成出力）させる印刷文書を利用する閲覧者に関する閲覧者情報をホスト用閲覧者アドレス帳として保管しており、ホスト用閲覧者アドレス帳は、例えば、図２に示すように、閲覧者毎に、ユーザＩＤ、氏名、所属部署、e-mailアドレス等の各情報がテーブル形式で登録されている。なお、所属部署やe-mailアドレス等は、文書の閲覧者を選択する場合に、氏名だけでは、同姓同名の人がいて区別できない場合などに使用される。
【００１８】
ホスト装置ＨＳは、ホスト用画像形成プログラムを実行することで、ホスト用閲覧者アドレス帳への閲覧者情報の登録制御処理、閲覧者情報の印刷ジョブへの登録処理等を伴う印刷依頼処理を行う。
【００１９】
なお、ホスト装置ＨＳは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明のホストでの画像形成方法である印刷依頼方法を実行するホスト用画像形成プログラムを読み込んでハードディスク等に導入することで、後述するホスト用閲覧者アドレス帳への閲覧者情報の登録制御処理、閲覧者情報の印刷ジョブへの登録処理等を伴う印刷依頼処理を実行する情報処理装置として構築されている。このホスト用画像形成プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２０】
サーバＳＶは、通常のハードウェア構成及びソフトウェア構成のプリントサーバが用いられており、一般的に、ハードディスク、ＲＯＭ（Read Only Memory）、ＲＡＭ（Random Access Memory）等のメモリ、ＣＰＵ（Central Processing Unit ）、ディスプレイ、キーボード、マウス等の入力部等のハードウェアを備えていて、該ハードウェアのメモリに、ウィンドウズ等のＯＳ上に、本発明の閲覧者情報を含む画像データと印刷要求を含む印刷ジョブがホスト装置ＨＳから送られてくると、一旦、ハードディスク等に保管した後、該印刷ジョブの閲覧者情報に対応する閲覧者の視覚特性情報を付加した閲覧者視覚関連情報をプリンタＰｒに送って印刷要求するサーバ用画像形成プログラム等のソフトウェアが搭載されている。
【００２１】
サーバＳＶは、ハードウェア等のメモリ上に、プリンタＰｒで印刷出力（画像形成出力）させる印刷文書を利用する閲覧者と閲覧者の視覚特性と該視覚特性に基づくカラー印刷可否情報に関する閲覧者情報をサーバ用閲覧者アドレス帳として保管しており、サーバ用閲覧者アドレス帳は、例えば、図３に示すように、閲覧者毎に、ユーザＩＤ、氏名、視覚特性、所属部署、e-mailアドレス及びカラー印刷可否等の各情報がテーブル形式で登録されている。また、サーバＳＶは、図４に示すような個人情報管理テーブル（管理情報記憶手段）をハードウェア等のメモリ上に格納しており、個人情報管理テーブルは、サーバ用閲覧者アドレス帳に登録されている閲覧者情報の各項目、すなわち、ユーザＩＤ、氏名、カラー印刷可否、色覚特性、所属部署及びe-mailアドレス毎に、ホスト装置ＨＳのホスト用閲覧者アドレス帳への登録可否情報及びプリンタＰｒのアドレス帳への登録可否情報が登録されている。なお、この個人情報管理テーブルは、閲覧者情報項目毎に登録可否を管理するものに限るものではなく、閲覧者毎にかつ閲覧者情報項目毎に登録可否を管理するものであってもよい。
【００２２】
サーバＳＶは、ＣＰＵ（前記閲覧者情報提供手段）が、プリントサーバ用画像形成プログラムを実行することで、サーバ用閲覧者アドレス帳への閲覧者情報の登録制御処理、閲覧者情報の印刷ジョブへの登録処理及び閲覧者関連情報のホスト装置ＨＳ及びプリンタＰｒへの登録制御処理等を伴う印刷サーバ処理を行う。
【００２３】
なお、サーバＳＶは、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明のプリントサーバでの画像形成方法である印刷サーバ方法を実行するプリントサーバ用画像形成プログラムを読み込んでハードディスク等に導入することで、後述するサーバ用閲覧者アドレス帳への閲覧者情報、閲覧者の視覚特性等のような視覚関連情報の登録制御処理、閲覧者視覚情報の印刷ジョブへの登録処理等を伴う印刷サーバ処理を実行するプリントサーバ装置として構築されている。このプリントサーバ用画像形成プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２４】
プリンタＰｒは、図５に示すように、コントローラ１０、本体エンジン２０、フィニッシャ２１、操作パネル２２及びプログラム記録媒体３０等を備えており、コントローラ１０は、通信制御部１１、ＲＡＭ１２、ＮＶ−ＲＡＭ１３、操作パネル制御部１４、ＣＰＵ１５、ＲＯＭ１６、ハードディスク（ＨＤＤ）１７、エンジン制御部１８及び媒体制御部１９等を備えている。
【００２５】
プリントエンジン２０は、用紙搬送部、感光体、感光体を中心にその周囲に配設された帯電部、光書き込み部、現像部、転写部、除電部及びクリーニング部、トナー画像の転写された用紙を加熱・加圧して定着させる定着部及び排紙部等を備えており、フィニッシャ２１が接続されている。プリントエンジン２０は、光書き込み部が、コントローラ１０から渡される描画データに基づいて変調したレーザ光を帯電部によって一様に帯電されて所定速度で回転駆動される感光体上に照射して感光体上に静電潜像を形成し、現像部によって感光体にトナーを付与して感光体上の静電潜像を現像してトナー画像を形成する。プリントエンジン２０は、感光体上に形成されたトナー画像を用紙搬送部から感光体と転写部との間に搬送されてきた用紙に、転写部によって転写し、トナー画像の転写の完了した感光体上の残留トナーを除電部及びクリーニング部によって清浄にして、再度、画像形成に供する。プリントエンジン２０は、トナー画像の転写された用紙を定着部に搬送し、定着部で、用紙上のトナー画像を用紙に定着させた後、フィニッシャ２１に送り込んだり、または、排紙部に排出する。
【００２６】
フィニッシャ２１は、複数の排紙トレイを備えているとともに、印刷済の用紙束にステイプル処理を行うステイプル機構部、パンチ処理を行うパンチ機構部等の後処理機構部を備えて、プリントエンジン２０で画像の印刷された用紙束に指定された後処理を行って、排紙トレイ上に排紙し、また、複数の排紙トレイ上にページ毎に複数部数を順次排紙するソート機能を実行する。
【００２７】
操作パネル２２は、スタートキー、ストップキー、テンキー、画質設定キー等のプリンタＰｒの操作を行うのに必要な各種操作キーを備えるとともに、ディスプレイ（例えば、液晶ディスプレイ）を備え、上記各操作キーからは、プリンタＰｒを動作させるための各種操作が行われる。操作パネル２２は、ディスプレイに、操作キーから入力された命令内容やプリンタＰｒからユーザに通知する各種情報、特に、本発明の閲覧者のそれぞれの色覚特性に適した画像補正を行った画像の印刷出力において必要な各種情報を表示する。
【００２８】
通信制御部１１は、上記ホスト装置ＨＳやサーバＳＶの接続されているネットワークＮＷに接続され、サーバＳＶやホスト装置ＨＳから受け取った印刷ジョブを解析して、画像データや閲覧者情報を取り出してＣＰＵ１５に渡したり、印刷結果等のプリント情報を、ネットワークＮＷを介してホスト装置ＨＳやサーバＳＶに送信する。
【００２９】
エンジン制御部１８は、通信制御部１１がサーバＳＶから受信してＣＰＵ１５で必要な画像処理の行われた描画データを受け取ってエンジン２０に送り、エンジン２０を制御して、該画像データに基づいた画像の印刷を行わせる。
【００３０】
ＲＯＭ１６は、プリンタＰｒのエンジン２０を制御して印刷動作を行わせる基本プログラムや必要なシステムデータ及び後述する本発明の閲覧者情報に基づく全ての閲覧者の色覚特性に対応した画像処理を施してプリントエンジン２０で印刷させる画像形成制御方法を実行する画像形成制御プログラムと必要なデータが格納されており、ＣＰＵ（      手段）１５は、ＲＯＭ１６内のプログラムに基づいてＲＡＭ１２をワークメモリとして利用しつつ、プリンタＰｒの各部を制御して、プリンタＰｒとしての基本処理を実行するとともに、後述する画像形成制御処理を実行する。
【００３１】
ＮＶ−ＲＡＭ１３は、プリンタＰｒの電源がＯＦＦの場合にも記憶内容を保持する不揮発性メモリであり、操作パネル２２からのモード指示の内容、動作履歴等のプリンタＰｒの動作に関する各種情報及び後述する画像形成制御処理に必要な各種情報、例えば、印刷出力する印刷文書の閲覧者に関する閲覧者情報等を格納する。
【００３２】
操作パネル制御部１４には、上記操作パネル２２が接続されており、操作パネル２２での操作の監視を行って操作内容をＣＰＵ１５に通知する。操作パネル制御部１４は、また、ＣＰＵ１５からの表示データを操作パネル２２のディスプレイに表示させたり、操作パネル２２に設けられているＬＥＤ（Light Emitting Diode）の点灯、消灯及び点滅等を制御する。
【００３３】
ハードディスク１７は、大容量のデータ記憶媒体であり、ＣＰＵ１５の制御下で、大容量のデータ、特に、印刷データを印刷ジョブ毎に記憶し、また、必要なプログラムやその他のデータ等を記憶する。特に、ハードディスク１７は、本発明における個々の閲覧者の色覚特性に応じた画像処理を施した印刷データによる印刷出力を行う画像形成制御プログラム及び該画像形成制御プログラムを実行するのに必要なデータ、特に、例えば、図６に示すようなプリンタ用閲覧者アドレス帳を記憶している。このプリンタ用閲覧者アドレス帳は、図６に示すように、閲覧者毎に、ユーザＩＤ、カラー印刷可否、所属部署及びe-mailアドレスがテーブル形式で登録される。
【００３４】
媒体制御部１９には、プログラム記録媒体（記録媒体）３０が着脱可能に装着され、プログラム記録媒体３０は、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のプリンタＰｒが読み取り可能な記録媒体であって、本発明の画像形成制御方法を実行する画像形成制御プログラムを読み込んでＲＯＭ１６やハードディスク１７に導入することで、後述するＭＩＣＲ印刷における画像形成方法を実行する画像形成装置として構築されている。この画像形成制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記プログラム記録媒体３０に格納して頒布することができる。
【００３５】
そして、プリンタＰｒは、上記基本プログラムと画像形成制御プログラムを読み込んでハードディスク１７等に導入されることで、図７及び図８に示すような機能モジュールが構築される。すなわち、プリンタＰｒは、印刷データの処理においては、図７に示すように、印刷パラメータ解釈モジュール４１、印刷データ描画モジュール４２、印刷制御モジュール４３及び画像データ処理モジュール４４等が構築され、閲覧者関連情報の処理においては、図８に示すように、印刷パラメータ解釈モジュール４１、印刷制御モジュール４３及び画像データ処理モジュール４４の他に、アドレス帳管理モジュール４５が構築されている。
【００３６】
図７においては、プリンタＰｒは、通信制御部１１が、通信Ｉ／Ｆ２３を介してホスト装置ＨＳから受け取ると、印刷ジョブを印刷パラメータ解釈モジュール４１に渡して、印刷パラメータ解釈モジュール４１が、印刷ジョブの印刷パラメータを解釈して、ＲＧＢの印刷データを印刷データ描画モジュール４２に渡す。印刷データ描画モジュール４２は、印刷パラメータ解釈モジュール４１カラー受け取った印刷データを、印刷パラメータ解釈モジュール４１の解釈した印刷パラメータに基づいてプリントエンジン２０に適したＣＭＹＫ等の描画データである画像データＡに変換して、印刷制御モジュール４３に渡し、印刷制御モジュール４３は、画像データＡを一旦ハードディスク１７に保存した後、画像データＡと印刷パラメータ及び閲覧者の色覚特性を画像データ処理モジュール４４に渡して、色覚特性に応じて、色覚特性の相異する閲覧者毎の画像データＢに画像処理させるとともに、プリンタエンジン２０に応じた画像データＢに画像変換させて、画像データ処理モジュール４４から渡された画像データＢをエンジン制御部１８に渡す。
【００３７】
なお、画像データ処理モジュール４４における色覚特性に対応した画像処理については、種々の方法を用いることができ、適切な画像処理方法であれば、何ら限定されるものではない。例えば、色相を変化させることなく、明度を変化させる等の方法を用いることができ、また、色覚特性の型に応じた画像処理を施してもよい。
【００３８】
エンジン制御部１８は、印刷制御モジュール４３から渡された画像データＢに基づいてプリントエンジン２０を制御して、色覚特性の相異する閲覧者毎の印刷結果（印刷文書）Ｐｂを出力させる。
【００３９】
そして、図８において、プリンタＰｒは、印刷パラメータ解釈モジュール４１が、印刷ジョブから印刷パラメータを取得してＲＡＭ１２に保存すると、印刷制御モジュール４３が、閲覧者関連情報に応じて色覚特性の相異する閲覧者毎の画像データＢに画像処理させるのに際して、通信制御部１１に色覚特性取得、氏名取得、登録可否取得の閲覧者関連情報取得要求を行い、通信制御部１１が、通信Ｉ／Ｆ２３を介してサーバＳＶに対して閲覧者関連情報取得要求を行う。
【００４０】
通信制御部１１は、サーバＳＶから閲覧者関連情報が送られてくると、印刷制御モジュール４３に閲覧者関連情報を渡し、印刷制御モジュール４３が、ＲＡＭ１２から印刷パラメータを取得して、該閲覧者関連情報とともに画像データ処理モジュール４４に渡す。画像データ処理モジュール４４は、画像データＡに対して、印刷パラメータと閲覧者関連情報の色覚特性に応じた画像処理を施して、画像データＢとして印刷制御モジュールに渡す。
【００４１】
印刷制御部モジュール４３は、画像データ処理モジュール４４で画像処理された画像データＢを印刷パラメータとともにエンジン制御部１８に渡して、エンジン制御部１８が、プリントエンジン２０を制御して、画像データＢと印刷パラメータに対応した画像を用紙に印刷して、印刷文書（印刷結果）Ｐｂを出力する。
【００４２】
なお、本実施例において用いている色覚特性に関する用語は、Color Universal Design Organization (カラーユニバーサルデザイン機構)の色覚分類用語に準拠しており、色覚特性に適した印刷結果（印刷文書）Ｐｂとは、色覚特性によって判断できない色（例えば、Ｐ型やＤ型における赤色と緑色が該当する）を、色相、彩度、明度等の色に関するパラメータを変更（補正）して、色弱者でも区別できる色に変換した印刷結果をいうものとする。なお、カラーユニバーサルデザイン機構によると、人の色覚特性には、Ｃ型、Ｐ型（Protanope）、Ｄ型（Deuteranope）、Ｔ型（Tritanope）及びＡ型（Achromat）があり、以下のような特性となっている。
【００４３】
Ｃ型：３種類の錐体（Ｌ錐体、Ｍ錐体、Ｓ錐体）が全て揃っている人の色覚（一般型）。
【００４４】
Ｐ型：赤い光を主に感じるＬ錐体が無い人（Ｐ型強度）と、Ｌ錐体の分光感度がずれてＭ錐体と似通ってしまっている人（Ｐ型弱度）の色覚。
【００４５】
Ｄ型：緑の光を主に感じるＭ錐体が無い人（Ｄ型強度）と、Ｍ錐体の分光感度がずれてＬ錐体と似通ってしまった人（Ｄ型弱度）の色覚。
【００４６】
Ｔ型：青い光を主に感じるＳ錐体が無い人の色覚。
【００４７】
Ａ型：３種類の錐体のうち１種類しか持たない人や錐体が全く無く杆体しか持たない人、つまり、色を明暗でしか感じることができない人の色覚。
【００４８】
次に、本実施例の作用を説明する。本実施例の画像形成システム１は、印刷結果である印刷文書の閲覧者を特定する閲覧者情報を付加した印刷ジョブをホスト装置ＨＳからプリンタＰｒに送信し、プリンタＰｒにおいて、該閲覧者それぞれの色覚特性に応じた画像処理を該印刷ジョブの印刷データに施した後に、印刷文書を出力する。
【００４９】
本実施例の画像形成システム１は、ホスト装置ＨＳで指定された閲覧者の色覚特性情報を少なくとも印刷段階においてプリンタＰｒで分かっている必要がある。ところが、閲覧者情報、特に、色覚特定情報は、機密情報であり、慎重な取り扱いが要求される。
【００５０】
そこで、本実施例の画像形成システム１は、サーバＳＶが、図３に示したように、閲覧者の色覚特性情報を含んだ閲覧者情報であるサーバ用閲覧者アドレス帳を、そのハードディスク等のメモリ上に記憶するとともに、視覚特性情報のホスト装置ＨＳやプリンタＰｒでの登録を許可するか否かを、閲覧者情報項目毎に管理する個人情報管理テーブルを記憶して、閲覧者毎の視覚特性に応じた印刷出力を可能とするとともに、閲覧者の色覚特性の管理を適切なものとしている。そして、画像形成システム１は、基本的に、閲覧者情報をサーバＳＶのサーバ用閲覧者アドレス帳及び個人情報管理テーブルによって管理し、閲覧者情報の取得要求がホスト装置ＨＳやプリンタＰｒからあると、サーバ用閲覧者アドレス帳の登録情報のうち、個人情報管理テーブルの管理情報で許可されている情報をホスト装置ＨＳやプリンタＰｒに提供して、ホスト装置ＨＳやプリンタＰｒでの登録を許可し、また、プリンタＰｒでの印刷処理に供することを許可する。
【００５１】
まず、ホスト装置ＨＳからサーバＳＶに閲覧者情報を取得する閲覧者取得処理について、図９に基づいて説明する。ホスト装置ＨＳは、ホスト用画像形成プログラムが起動されて、氏名の取得要求等の閲覧者情報取得要求があると、図９に示すように、ネットワークＮＷを介してサーバＳＶに対して、全閲覧者（以下、適宜、閲覧者をユーザという。）の氏名の取得要求を行い（ステップＳ１０１）、まず、アドレス帳への登録可否情報を取得して（ステップＳ１０２）、アドレス帳への登録が可能であるかチェックする（ステップＳ１０３）。
【００５２】
ホスト装置ＨＳは、ステップＳ１０３で、閲覧者情報のアドレス帳への登録が許可されていないときには、後述するように、サーバＳＶから閲覧者情報を取得するが、取得した閲覧者情報を閲覧者を特定した印刷ジョブの生成に使用すると、取得した閲覧者情報をハードディスク等のホスト用閲覧者アドレス帳に登録することなく、削除する。
【００５３】
ホスト装置ＨＳは、ステップＳ１０３で、閲覧者情報のアドレス帳への登録が許可されていると、サーバＳＶから送信されてくる全閲覧者のユーザＩＤ、氏名等の閲覧者情報（所属部署やe-mailアドレスがあるときには、これらの情報も含む）を取得し（ステップＳ１０４）、取得した閲覧者情報をハードディスク等のホスト用閲覧者アドレス帳に登録して、閲覧者を特定した印刷ジョブの生成に利用する（ステップＳ１０５）。
【００５４】
そして、サーバＳＶは、図１０に示すように、プリントサーバ用画像形成プログラムが、ホスト装置ＨＳから閲覧者取得要求である全閲覧者の氏名取得要求があると（ステップＳ２０１）、個人情報管理テーブルを参照して（ステップＳ２０２）、ホスト装置ＨＳのホスト用閲覧者アドレス帳（ホスト用閲覧者アドレス帳）への登録可否情報を取得する（ステップＳ２０３）。サーバＳＶは、個人情報管理テーブルから取得したアドレス帳への登録可否情報を、閲覧者取得要求を行ってきたホスト装置ＨＳに送信（通知）し（ステップＳ２０４）、該アドレス帳への登録可否情報が登録可能であるかチェックする（ステップＳ２０５）。
【００５５】
ステップＳ２０５で、アドレス帳への登録が許否されていると、サーバＳＶは、サーバ用閲覧者アドレス帳の閲覧者情報のうち、視覚特性情報以外のユーザＩＤ、氏名等のみを読み出してホスト装置ＨＳへ送信するか、サーバ用閲覧者アドレス帳からの閲覧者情報の送信を中止して処理を終了する。
【００５６】
ステップＳ２０５で、アドレス帳への登録が許可されていると、サーバ用閲覧者アドレス帳から全閲覧者の氏名等の閲覧者情報を取得し（ステップＳ２０６）、閲覧者取得要求を行ってきたホスト装置ＨＳに全閲覧者の閲覧者情報を送信（通知）して、処理を終了する（ステップＳ２０７）。
【００５７】
また、プリンタＰｒは、図１１に示すように、ネットワークＮＷを介してサーバＳＶに対して、全閲覧者（以下、適宜、閲覧者をユーザという。）のカラー印刷可否の取得要求を予め行い（ステップＳ３０１）、サーバＳＶからアドレス帳への登録可否情報を取得して（ステップＳ３０２）、アドレス帳への登録が可能であるかチェックする（ステップＳ３０３）。
【００５８】
ステップＳ３０３で、プリンタＰｒは、アドレス帳への登録が許可されていないときには、サーバＳＶから閲覧者情報が送信されないため、そのまま処理を終了する。
【００５９】
ステップＳ３０３で、閲覧者情報のアドレス帳への登録が許可されていると、サーバＳＶから送信されてくる全閲覧者のユーザＩＤ、氏名等の閲覧者情報（所属部署やe-mailアドレスがあるときには、これらの情報も含む）及びカラー印刷可否情報を取得し（ステップＳ３０４）、取得したカラー印刷可否情報を含む閲覧者情報をハードディスク等のプリンタ用閲覧者アドレス帳に登録して、閲覧者の視覚特性に応じた画像データＢの生成及び該画像データＢに基づく印刷出力に利用する（ステップＳ３０５）。
【００６０】
そして、サーバＳＶは、図１２に示すように、プリントサーバ用画像形成プログラムが、プリンタＰｒから全閲覧者に関するカラー印刷可否の取得要求である全閲覧者のカラー印刷可否の取得要求があると（ステップＳ４０１）、個人情報管理テーブルを参照して（ステップＳ４０２）、プリンタＰｒのプリンタ用閲覧者アドレス帳への登録可否情報を取得する（ステップＳ４０３）。サーバＳＶは、個人情報管理テーブルから取得したアドレス帳へのカラー印刷可否情報の登録可否情報を、閲覧者取得要求を行ってきたプリンタＰｒに送信（通知）し（ステップＳ４０４）、該アドレス帳へのカラー印刷可否の登録可否情報が登録可能であるかチェックする（ステップＳ４０５）。
【００６１】
サーバＳＶは、ステップＳ４０５で、アドレス帳への登録が許否されていると、閲覧者情報の通知を行うことなく、処理を終了する。
【００６２】
サーバＳＶは、ステップＳ４０５で、アドレス帳への登録が許可されていると、サーバ用閲覧者アドレス帳から全閲覧者のユーザＩＤ及びカラー印刷可否情報を含む情報（閲覧者情報）を取得し（ステップＳ２０６）、閲覧者取得要求を行ってきたプリンタＰｒに全閲覧者の閲覧者情報を送信（通知）して、処理を終了する（ステップＳ４０７）。
【００６３】
そして、ホスト装置ＨＳは、上述のようにホスト用閲覧者アドレス帳に閲覧者情報が登録されている状態で、アプリケーションで作成されたり、外部から受信したりした文書に対する印刷要求が発生すると、複数人または１人の閲覧者を特定した印刷ジョブを生成して、プリンタＰｒに送信する。
【００６４】
すなわち、ホスト装置ＨＳは、印刷要求が発生すると、ホスト用画像形成プログラムが、ホスト用閲覧者アドレス帳に登録されている全閲覧者の情報を拾得し（ステップＳ５０１）、全閲覧者のリストを閲覧者選択画面としてディスプレイに表示して、印刷文書の閲覧者を選択可能とする（ステップＳ５０２）。このとき、ホスト装置ＨＳは、閲覧者情報のうち、印刷文書の閲覧者として選択するのに必要な情報（例えば、氏名、所属部署、e-mailアドレス等）のみを表示し、機密を必要とする情報（例えば、ユーザＩＤ）については、表示しない。
【００６５】
ホスト装置ＨＳは、キーボードやマウス等の入力デバイスを使用して、閲覧者選択画面で印刷文書の閲覧者が選択されると（ステップＳ５０３）、閲覧者選択画面の表示をディスプレイから消して（ステップＳ５０４）、選択された閲覧者情報（選択閲覧者情報）をＲＡＭ等に保存する（ステップＳ５０５）。この選択閲覧者情報は、実体としては、印刷文書の閲覧者を特定することのできる最小の情報として、１人または複数人の閲覧者のユーザＩＤの集合体である。
【００６６】
その後、入力デバイスによって印刷開始が指示操作されると（ステップＳ５０６）、印刷ジョブの作成を開始し（ステップＳ５０７）、指定された文書データを印刷データに変換した後、該印刷データに選択閲覧者情報を付加して（ステップＳ５０８）、図１４に示すように、印刷ジョブ開始コマンド、印刷パラメータ部、印刷データ及び印刷ジョブ終了コマンドからなる印刷ジョブを生成する（ステップＳ５０９）。この印刷ジョブの印刷パラメータ部は、給紙先、排紙先、部数等の印刷パラメータが格納されるが、この印刷パラメータ部に、選択閲覧者情報が付加される。
【００６７】
ホスト装置ＨＳは、印刷ジョブの生成を完了すると、生成した印刷ジョブをネットワークＮＷを介してプリンタＰｒに送信する（ステップＳ５１０）。
【００６８】
そして、プリンタＰｒは、図１５及び図１６に示すようにホスト装置ＨＳから送信されてきた印刷ジョブに基づいて、個々の閲覧者の色覚特性に応じた画像処理を施した後に、印刷出力する画像形成制御処理を行う。すなわち、プリンタＰｒは、図１５に示すように、通信制御部１１が印刷ジョブを受信すると（ステップＳ６０１）、印刷パラメータ解釈モジュール４１が、印刷ジョブの印刷パラメータ部に付加されている選択閲覧者情報を解析し（ステップＳ６０２）、選択閲覧者情報をＲＡＭ１２に保存する（ステップＳ６０３）。
【００６９】
次に、プリンタＰｒは、印刷パラメータ解釈モジュール４１が、印刷ジョブから印刷データを取得して印刷データ描画モジュール４２に渡し、印刷データ描画モジュール４２が印刷データから画像データＡを作成して（ステップＳ６０４）、印刷制御モジュール４３を介してハードディスク１６に該画像データＡを保存する（ステップＳ６０５）。
【００７０】
プリンタＰｒは、印刷制御モジュール４３が、ＲＡＭ１２から閲覧者情報を取得して（ステップＳ６０６）、印刷ジョブで指定されている閲覧者の数Ｎを算出し（ステップＳ６０７）、処理済みの閲覧者数をカウントする閲覧者数カウンタｎ（ｎ＝１、２、３・・・、Ｎ）のカウント値を「１」に、印刷完了部数をカウントするカウンタのカウント値を「０」に設定して（ステップＳ６０８）、図１６に示すように、印刷完了部数が閲覧者数Ｎになったかチェックする（ステップＳ６０９）。
【００７１】
図１６のステップＳ６０９で、印刷完了部数が閲覧者数Ｎになっていないときには、印刷制御モジュール４３が、アドレス帳管理部４５に閲覧者ｎの色覚特性をハードディスク１２のプリンタ用閲覧者アドレス帳から取得するように依頼し、アドレス帳管理部４５がプリンタ用閲覧者アドレス帳から指定された閲覧者ｎの色覚特性を取得して印刷制御モジュール４３に渡す（ステップＳ６１０）。印刷制御モジュール４３は、プリンタ用閲覧者アドレス帳に閲覧者ｎの色覚特性が登録されておらず、アドレス帳管理部４５が該閲覧者ｎの色覚特性を取得できないときには、後述するように、サーバＳＶから該閲覧者ｎの色覚特性を取得する。
【００７２】
印刷制御モジュール４３は、閲覧者ｎの色覚特性を取得すると、該閲覧者ｎの色覚特性がＣ型（一般色覚者）であるかチェックし（ステップＳ６１１）、Ｃ型のときには、ハードディスク１７に保存した画像データＡを画像データ処理モジュール４４に渡して、画像データ処理モジュール４４に画像データＡをプリントエンジン２０での印刷に適した画像データＢに変換（例えば、ＲＧＢの画像データＡをＣＭＹＫの画像データＢに変換）させて（ステップＳ６１２）、変換後の画像データＢのヘッダに、閲覧者ｎの氏名等の閲覧者情報を付加する（ステップＳ６１４）。なお、この画像データＢのヘッダに対する閲覧者ｎの氏名等のような閲覧者情報の付加処理については、印刷制御モジュール４３が行ってもよいし、画像データ処理モジュール４４が行ってもよい。
【００７３】
印刷制御モジュール４３は、ステップＳ６１１で、閲覧者ｎの視覚特性がＣ型でないときには、画像データＡと閲覧者ｎの視覚特性を画像データ処理モジュール４４に渡し、画像データ処理モジュール４４に閲覧者ｎの視覚特性に適した画像補性を画像データＡに対して行わせた後（ステップＳ６１３）、プリントエンジン２０での印刷に適した画像データＢに変換させて（ステップＳ６１２）、変換後の画像データＢのヘッダに、閲覧者ｎの氏名等の閲覧者情報を付加する（ステップＳ６１４）。
【００７４】
印刷制御モジュール４３は、閲覧者ｎの氏名等の閲覧者情報を付加した画像データＢと印刷パラメータをエンジン制御部１８を介してプリンタエンジン２０に送って（ステップＳ６１５）、プリンタエンジン２０で用紙に画像データＢの画像を印刷出力させる（ステップＳ６１６）。なお、閲覧者情報の画像データＢへの付加については、必ず付加する必要はなく、例えば、プリンタ用閲覧者アドレス帳やサーバＳＶのサーバ用閲覧者アドレス帳の閲覧者情報に、閲覧者毎に予め閲覧者情報（氏名等）の画像データＢへの付加を許可するか否かの付加可否情報を登録して、この付加可否情報に応じて画像データＢへ閲覧者情報を付加するか否か制御するようにしてもよい。
【００７５】
そして、印刷制御モジュール４３は、閲覧者情報を付加しない場合には、付加前の画像データＢと印刷パラメータをエンジン制御部１８に渡す。
【００７６】
印刷制御モジュール４３は、閲覧者ｎの印刷データＢの印刷を行わせると、印刷完了部数及び閲覧者数カウンタｎのカウント値を「１」だけインクリメント（加算）して（ステップＳ６１７）、ステップＳ６０９に戻って、印刷完了部数が閲覧者数Ｎになったかのチェックから上記同様に処理する（ステップＳ６０９〜６１７）。
【００７７】
上記ステップＳ６０９〜ステップＳ６１７の処理を繰り返し行って、全ての閲覧者に対する画像データＢを生成して、印刷処理を行わせてステップＳ６０９で印刷完了部数がＮになると、ＲＡＭ１２に保存されている閲覧者情報を削除し（ステップＳ６１９）、ハードディスク１７に保存されている画像データＡを削除して処理を終了する（ステップＳ６１９）。
【００７８】
そして、上記図１６のステップＳ６１０で、ハードディスク１２のプリンタ用閲覧者アドレス帳に閲覧者ｎの視覚特性情報が登録されておらず、アドレス帳管理部４５が閲覧者ｎの視覚特性を取得できなかったときには、印刷制御モジュール４３は、図１７に示すように、サーバＳＶに色覚特性取得要求処理を行う。
【００７９】
すなわち、印刷制御モジュール４３は、アドレス帳管理部４５に閲覧者ｎの色覚特性をハードディスク１２のプリンタ用閲覧者アドレス帳から取得するように依頼し（ステップＳ７０１）、アドレス帳管理部４５がプリンタ用閲覧者アドレス帳から閲覧者ｎの色覚特性を取得できたかチェックする（ステップＳ７０２）。ステップＳ７０２で、プリンタ用閲覧者アドレス帳から閲覧者ｎの視覚特性が取得できたときには、視覚特性取得要求処理を終了して、上記図１６に示した画像形成制御処理を行う。ステップＳ７０２で、プリンタ用閲覧者アドレス帳から閲覧者ｎの視覚特性が取得できないときには、印刷制御モジュール４３は、通信制御部１１を介して閲覧者ｎの視覚特性の取得要求（閲覧者ＩＤを指定した視覚特性要求）をサーバＳＶに対して行い（ステップＳ７０３）、サーバＳＶから送信されてきた閲覧者ｎの色覚特性を含む閲覧者情報を通信制御部１１が受信すると、該閲覧者情報から色覚特性を取得する（ステップＳ７０４）。次に、印刷制御モジュール４３は、該閲覧者情報から登録可否情報を取得し（ステップＳ７０５）、プリンタＰｒのプリンタ用閲覧者アドレス帳に対する閲覧者ｎの閲覧者情報の登録が許可されているかチェックする（ステップＳ７０６）。
【００８０】
印刷制御モジュール４３は、ステップＳ７０６で、登録が許可されていないときには、上記画像形成制御処理に閲覧者ｎの閲覧者情報、特に、色覚特性を使用すると、その後、ＲＡＭ１２から消去する。
【００８１】
印刷制御モジュール４３は、ステップＳ７０６で、登録が許可されていると、上記画像形成制御処理において閲覧者ｎの閲覧者情報、特に、色覚特性を使用するとともに、閲覧者ｎの色覚特性を含む閲覧者情報をＲＡＭ１２のプリンタ用閲覧者アドレス帳に登録して、色覚特性取得処理を終了する（ステップＳ７０７）。
【００８２】
そして、サーバＳＶは、上述のように、プリンタＰｒから閲覧者ｎの色覚特性取得要求があると、図１８に示すように、閲覧者情報送信処理を行う。すなわち、サーバＳＶは、プリンタＰｒから色覚特性取得要求を受信すると（ステップＳ８０１）、該色覚特性取得要求に閲覧者ＩＤの指定があるかチェックし（ステップＳ８０２）、閲覧者ＩＤの指定がないときには、視覚特性取得要求に対して不適切である旨の通知（ＮＧ通知）を該色覚特性取得要求を行ってきたプリンタＰｒに対して返して、処理を終了する（ステップＳ８０３）。
【００８３】
サーバＳＶは、ステップＳ８０２で、閲覧者ＩＤの指定があると、閲覧者ＩＤによってサーバ用閲覧者アドレス帳を検索し（ステップＳ８０４）、サーバ用閲覧者アドレス帳からの色覚特性の取得に成功したかチェックする（ステップＳ８０５）。
【００８４】
サーバＳＶは、ステップＳ８０５で、指定された閲覧者ＩＤの閲覧者情報がサーバ用閲覧者アドレス帳に登録されていない等の理由によって色覚特性の取得に失敗すると、色覚特性取得要求を行ってきたプリンタＰｒに対して該視覚特性取得要求がＮＧである旨の通知を返して、処理を終了する（ステップＳ８０３）。
【００８５】
サーバＳＶは、ステップＳ８０５で、色覚特性の取得に成功すると、取得した該色覚特性を、色覚特性取得要求を行ってきたプリンタＰｒに対して送信し（ステップＳ８０６）、個人情報管理テーブルを検索して、色覚特性のプリンタＰｒのプリンタ用閲覧者アドレス帳への登録可否情報を取得する（ステップＳ８０７）。サーバＳＶは、色覚特性の登録可否情報を取得すると、該色覚特性のアドレス帳への登録可否情報を色覚特性取得要求を行ってきたプリンタＰｒに送信して、処理を終了する（ステップＳ８０８）。
【００８６】
また、プリンタＰｒは、図１６のステップＳ６１４で画像データＢのヘッダに閲覧者氏名を付加する場合に、閲覧者氏名をプリンタ用閲覧者アドレス帳から取得することができなかったときには、図１９に示すように、サーバＳＶに対して氏名を取得するために色覚特性取得要求を行って氏名を取得する。
【００８７】
すなわち、プリンタＰｒの印刷制御モジュール４３は、画像形成制御処理において、印刷文書のヘッダに氏名を印刷するかチェックし（ステップＳ９０１）、印刷を行わないときには、氏名取得処理を行う必要がないため、そのまま氏名取得処理を終了する。この印刷文書のヘッダに氏名を印刷するか否かを判断するための情報（氏名印刷要否情報）は、ホスト装置ＨＳから印刷パラメータに付加されていて、該印刷パラメータの氏名印刷要否情報を印刷制御モジュール４３が調べることで氏名印刷要否を判断してもよいし、予めプリンタＰｒの操作パネル２２のキー操作等によって設定入力された氏名印刷要否情報をＮＶ−ＲＡＭ１３等に保存して、印刷制御モジュール４３がＮＶ−ＲＡＭの氏名印刷要否情報を取得して判断してもよい。
【００８８】
印刷制御モジュール４３は、ステップＳ９０１で、ヘッダに氏名を印刷するときには、閲覧者ｎの氏名をハードディスク１７のプリンタ用閲覧者アドレス帳からの取得をアドレス帳管理モジュール４５に要求し（ステップＳ９０２）、プリンタ用閲覧者アドレス帳から閲覧者ｎの氏名を取得することに成功したかチェックする（ステップＳ９０３）。
【００８９】
印刷制御モジュール４３は、ステップＳ９０３で、プリンタ用閲覧者アドレス帳から閲覧者ｎの氏名の取得に成功すると、画像データＢのヘッダに閲覧者ｎの氏名を付加して、処理を終了する（ステップＳ９０４）。
【００９０】
印刷制御モジュール４３は、ステップＳ９０３で、プリンタ用閲覧者アドレス帳からの閲覧者ｎの氏名取得に失敗すると、閲覧者ｎの色覚特性の取得要求（（閲覧者ＩＤを指定した視覚特性要求）をサーバＳＶに行い（ステップＳ９０５）、サーバＳＶから送信されてきた閲覧者ｎの色覚特性を含む閲覧者情報を通信制御部１１が受信すると、該閲覧者情報から氏名を取得する（ステップＳ９０６）。次に、印刷制御モジュール４３は、該閲覧者情報から登録可否情報を取得し（ステップＳ９０７）、プリンタＰｒのプリンタ用閲覧者アドレス帳に対する閲覧者ｎの閲覧者情報、特に、氏名の登録が許可されているかチェックする（ステップＳ９０８）。
【００９１】
印刷制御モジュール４３は、ステップＳ９０８で、氏名の登録が許可されていないときには、上記画像形成制御処理において、閲覧者ｎの氏名を画像データＢのヘッダに付加すると、その後、ＲＡＭ１２から該閲覧者ｎの氏名を消去する（ステップＳ９０４）。
【００９２】
印刷制御モジュール４３は、ステップＳ９０８で、氏名の登録が許可されていると、上記画像形成制御処理において閲覧者ｎの氏名を画像データＢのヘッダに付加するとともに、閲覧者ｎの氏名を含む閲覧者情報をＲＡＭ１２のプリンタ用閲覧者アドレス帳に登録して、閲覧者氏名取得処理を終了する（ステップＳ９０９）。
【００９３】
そして、サーバＳＶは、上述のように、プリンタＰｒから閲覧者ｎの氏名を取得するための色覚特性取得要求（氏名取得要求）があると、図２０に示すように、閲覧者情報送信処理を行う。すなわち、サーバＳＶは、プリンタＰｒから氏名取得要求を受信すると（ステップＳ１００１）、該氏名取得要求に閲覧者ＩＤの指定があるかチェックし（ステップＳ１００２）、閲覧者ＩＤの指定がないときには、氏名取得要求に対して不適切である旨の通知（ＮＧ通知）を該氏名取得要求を行ってきたプリンタＰｒに対して返して、処理を終了する（ステップＳ１００３）。
【００９４】
サーバＳＶは、ステップＳ１００２で、閲覧者ＩＤの指定があると、閲覧者ＩＤによってサーバ用閲覧者アドレス帳を検索し（ステップＳ１００４）、サーバ用閲覧者アドレス帳からの氏名の取得に成功したかチェックする（ステップＳ１００５）。
【００９５】
サーバＳＶは、ステップＳ１００５で、指定された閲覧者ＩＤの閲覧者情報がサーバ用閲覧者アドレス帳に登録されていない等の理由によって氏名の取得に失敗すると、氏名取得要求を行ってきたプリンタＰｒに対して該氏名取得要求がＮＧである旨の通知を返して、処理を終了する（ステップＳ１００３）。
【００９６】
サーバＳＶは、ステップＳ１００５で、氏名の取得に成功すると、取得した該氏名を、氏名取得要求を行ってきたプリンタＰｒに対して送信し（ステップＳ１００６）、個人情報管理テーブルを検索して、氏名のプリンタＰｒのプリンタ用閲覧者アドレス帳への登録可否情報を取得する（ステップＳ１００７）。サーバＳＶは、氏名の登録可否情報を取得すると、該氏名のアドレス帳への登録可否情報を氏名取得要求を行ってきたプリンタＰｒに送信して、処理を終了する（ステップＳ１００８）。
【００９７】
このように、本実施例の画像形成システム１は、プリンタＰｒが、文書の印刷データと該印刷データによって印刷される印刷文書を閲覧する全ての閲覧者を特定する閲覧者特定情報を含む印刷ジョブを取得すると、印刷データから得られる画像データＡに対して色覚特性に応じた画像処理を施して印刷用画像データである画像データＢを生成するのに際して、通信制御部１１が取得した印刷ジョブの閲覧者特定情報である閲覧者ＩＤに基づいて、閲覧者毎に該閲覧者ＩＤに対応させて該閲覧者の色覚特性を含む閲覧者情報の登録されているハードディスク１７のプリンタ用閲覧者アドレス帳から該閲覧者ＩＤに対応する全ての閲覧者の色覚特性を取得して、印刷ジョブから得られる画像データＡに対して、該閲覧者の分だけ視覚特性に応じた画像処理を施して画像データＢを生成し、プリンタエンジン２０で画像データＢに基づいて印刷文書を印刷出力している。
【００９８】
したがって、画像データに対して該画像データに基づいて印刷出力される印刷文書を閲覧する全ての閲覧者の色覚特性に対応した画像処理を施した後に印刷出力することができ、閲覧者それぞれの視覚特性に対応した印刷文書を印刷出力することができる。
【００９９】
また、本実施例の画像形成システム１は、ネットワークＮＷにホスト装置、サーバＳＶ及びプリンタＰｒが接続され、サーバＳＶが、印刷文書の閲覧者毎に該閲覧者を特定する閲覧者ＩＤ及び該閲覧者の色覚特性を含む閲覧者情報をサーバ用閲覧者アドレス帳に記憶して、ホスト装置やプリンタＰｒからの閲覧者取得要求に応じて、サーバ用閲覧者アドレス帳に記憶している閲覧者情報を該閲覧者取得要求を行ってきたホスト装置やプリンタＰｒに送信する。また、ホスト装置ＨＳが、印刷文書の閲覧者毎に少なくとも該閲覧者を特定する閲覧者ＩＤを含む閲覧者情報の登録されるホスト用閲覧者アドレス帳を有し、サーバＳＶに閲覧者情報の取得要求を行って、該閲覧者情報取得要求に応じてサーバＳＶから送信されてきた閲覧者情報をホスト用閲覧者アドレス帳に登録し、印刷データによって印刷される印刷文書を閲覧する全ての閲覧者の閲覧者ＩＤをホスト用閲覧者アドレス帳から取得して文書の印刷データに該閲覧者ＩＤを付加した印刷ジョブを生成してプリンタＰｒに送信する。そして、プリンタＰｒが、閲覧者毎に閲覧者ＩＤに対応させて該閲覧者の色覚特性を含む閲覧者情報の登録されるプリンタ用閲覧者アドレス帳を有し、サーバＳＶに閲覧者情報の取得要求を行って、該閲覧者情報取得要求に応じてサーバＳＶから送信されてきた閲覧者情報をプリンタ用閲覧者アドレス帳に登録して、ホスト装置ＨＳから送信されてくる印刷データと閲覧者ＩＤを含む印刷ジョブを取得して、取得した該印刷ジョブの閲覧者ＩＤに基づいて、プリンタ用閲覧者アドレス帳から該閲覧者ＩＤに対応する全ての閲覧者の色覚特性を取得して、該印刷ジョブから得られる画像データＡに対して、該閲覧者の分だけ該視覚特性に応じた画像処理を施して画像データＢ（印刷用画像データ）を生成し、画像データＢに基づいてプリンタエンジン２０で印刷文書を印刷出力している。
【０１００】
したがって、画像データに対して該画像データに基づいて印刷出力される印刷文書を閲覧する全ての閲覧者の色覚特性に対応した画像処理を施した後に印刷出力することができ、閲覧者それぞれの視覚特性に対応した印刷文書を印刷出力することができる。
【０１０１】
さらに、本実施例の画像形成システム１は、プリンタＰｒが、ハードディスク１７のプリンタ用閲覧者アドレス帳に、閲覧者毎に該閲覧者の氏名を閲覧者情報として記憶し、印刷制御モジュール４３が、プリンタ用閲覧者アドレス帳から閲覧者の氏名を取得して、画像データ処理モジュール４４に該氏名を画像データＢに付加させている。
【０１０２】
したがって、どの印刷文書がどの閲覧者用の印刷文書であるかを知ることができ、印刷文書を配布する際の便宜性を向上させることができるとともに、閲覧者の色覚特性に適した印刷文書を配布することができる。
【０１０３】
また、本実施例の画像形成システム１は、プリンタＰｒが、ネットワークＮＷによって閲覧者ＩＤに対応させて色覚特性や氏名等をサーバ用閲覧者アドレス帳（管理用閲覧者情報）に記憶して管理するサーバＳＶに接続されており、印刷制御モジュール４３が、印刷ジョブの閲覧者ＩＤに対応する閲覧者の色覚特性や氏名のプリンタ用閲覧者アドレス帳から取得したからの取得に失敗すると、サーバＳＶから該閲覧者ＩＤに対応する閲覧者の色覚特性や氏名を取得する。そして、画像形成システム１は、画像データ処理モジュール４４に、取得した該色覚特性に応じた画像処理を行わせ、また、取得した該氏名を画像データＢに付加させている。
【０１０４】
したがって、個人情報保護等からプリンタＰｒのプリンタ用閲覧者アドレス帳に色覚特性や氏名が登録されていない場合にも、サーバＳＶから取得して閲覧者の色覚特性に適した印刷文書を印刷出力することができ、また、印刷文書に氏名を印刷して、配布上の利便性、適切性を確保することができる。
【０１０５】
さらに、本実施例の画像形成システム１は、サーバＳＶが、サーバ用閲覧者アドレス帳の閲覧者情報をホスト装置ＨＳのホスト用閲覧者アドレス帳及びプリンタＰｒのプリンタ用閲覧者アドレス帳への登録を許可するか否かの情報登録可否情報をホスト装置ＨＳ及びプリンタＰｒ毎に登録される個人情報管理テーブルを備えており、閲覧者情報取得要求に対して、個人情報管理テーブルの情報登録可否情報に基づいて閲覧者情報の送信制御を行うとともに、送信する閲覧者情報に対する情報登録可否情報を送信している。そして、ホスト装置ＨＳ及びプリンタＰｒは、サーバＳＶから閲覧者情報と登録不可の情報登録可否情報が送信されてくると、該閲覧者情報のホスト用閲覧者アドレス帳及びプリンタ用閲覧者アドレス帳への登録を不許可とし、該閲覧者情報の使用が完了した時点で、該閲覧者情報を削除している。
【０１０６】
したがって、閲覧者の個人情報、特に、視覚特性に関する情報の漏洩を防止することができ、個人情報を保護しつつ、視覚特性に対応した印刷出力を適切に行うことができる。
【０１０７】
また、本実施例の画像形成システム１は、サーバＳＶが、個人情報管理テーブルに、情報登録可否情報が閲覧者情報の情報項目毎に登録されており、閲覧者情報取得要求に対して、該情報項目毎の情報登録可否情報に基づいて閲覧者情報の送信制御、送信する閲覧者情報項目の選択制御を行うとともに、送信する閲覧者情報項目それぞれに対する情報登録可否情報を送信している。
【０１０８】
したがって、閲覧者の個人情報が漏洩することを、きめ細かく防止することができ、個人情報をより一層適切に保護しつつ、視覚特性により一層適切に対応した印刷出力を適切に行うことができる。
【０１０９】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【０１１０】
本発明は、印刷文書を閲覧する個々の閲覧者の色覚特性に応じた画像処理を行った印刷文書を生成するプリンタ装置、複合装置、複写装置等の画像形成装置、画像形成システム、画像形成方法、画像形成プログラム及び記録媒体に利用することができる。
【符号の説明】
【０１１１】
１  画像形成システム
ＮＷ  ネットワーク
Ｐｒ  プリンタ
ＳＶ  サーバ
ＨＳ  ホスト装置
１０  コントローラ
１１  通信制御部
１２  ＲＡＭ
１３  ＮＶ−ＲＡＭ
１４  操作パネル制御部
１５  ＣＰＵ
１６  ＲＯＭ
１７  ハードディスク（ＨＤＤ）
１８  エンジン制御部
１９  媒体制御部
２０  本体エンジン
２１  フィニッシャ
２２  操作パネル
２３  通信Ｉ／Ｆ
３０  プログラム記録媒体
４１  印刷パラメータ解釈モジュール
４２  印刷データ描画モジュール
４３  印刷制御モジュール
４４  画像データ処理モジュール
４５  アドレス帳管理モジュール
【先行技術文献】
【特許文献】
【０１１２】
【特許文献１】特開２００５−４６６４号公報
【図１】
2011126041.tif 000003
【図２】
2011126041.tif 000004
【図３】
2011126041.tif 000005
【図４】
2011126041.tif 000006
【図５】
2011126041.tif 000007
【図６】
2011126041.tif 000008
【図７】
2011126041.tif 000009
【図８】
2011126041.tif 000010
【図９】
2011126041.tif 000011
【図１０】
2011126041.tif 000012
【図１１】
2011126041.tif 000013
【図１２】
2011126041.tif 000014
【図１３】
2011126041.tif 000015
【図１４】
2011126041.tif 000016
【図１５】
2011126041.tif 000017
【図１６】
2011126041.tif 000018
【図１７】
2011126041.tif 000019
【図１８】
2011126041.tif 000020
【図１９】
2011126041.tif 000021
【図２０】
2011126041.tif 000022